(57)【要約】【課題】巻線数を増やしつつも、開口面積が大きくなるループアンテナ装置を提供する。【解決手段】絶縁基板(10)上に螺旋状に巻線された導電体を具備するループアンテナ装置(2)であって、絶縁基板は、略直方体形状をなし、所定の第１面(11)、及び第１面の４辺にそれぞれ連なる第２面から第５面(12,13,14,15)、並びに、第２面から第５面の４辺にそれぞれ連なり、第１面に対向する第６面(16)を備える一方、導電体は、略平行位置に配置された複数のループを備えており、ループは、第１面の角に近接して第１面に配置されたコーナー導体部(31)と、コーナー導体部に連なり、第２面から第５面にそれぞれ配置されたサイド導体部(42,43,44,45)とを有する。【選択図】図１
2009290830.tif 000002
【特許請求の範囲】
【請求項１】
絶縁基板上に螺旋状に巻線された導電体を具備するループアンテナ装置であって、
前記絶縁基板は、略直方体形状をなし、所定の第１面、及び該第１面の４辺にそれぞれ連なる第２面から第５面、並びに、該第２面から該第５面の４辺にそれぞれ連なり、前記第１面に対向する第６面を備える一方、前記導電体は、略平行位置に配置された複数のループを備えており、
該ループは、
前記第１面の角に近接して該第１面に配置されたコーナー導体部と、
該コーナー導体部に連なり、前記第２面から前記第５面にそれぞれ配置されたサイド導体部と
を有することを特徴とするループアンテナ装置。
【請求項２】
請求項１に記載のループアンテナ装置であって、
前記第２面に配置されたサイド導体部は、前記第１面、該第２面及び前記第５面が交わる第１コーナーに近接して該第１面に配置された第１コーナー導体部と、該第１面、該第２面及び前記第３面が交わる第２コーナーに近接して該第１面に配置された第２コーナー導体部とを接続し、
前記第３面に配置されたサイド導体部は、前記第２コーナー導体部と、該第１面、該第３面及び前記第４面が交わる第３コーナーに近接して該第１面に配置された第３コーナー導体部とを接続し、
前記第４面に配置されたサイド導体部は、前記第３コーナー導体部と、該第１面、該第４面及び前記第５面が交わる第４コーナーに近接して該第１面に配置された第４コーナー導体部とを接続し、
前記第５面に配置されたサイド導体部は、前記第４コーナー導体部と、前記第１コーナー導体部とを接続していることを特徴とするループアンテナ装置。
【請求項３】
請求項１又は２に記載のループアンテナ装置であって、
前記ループは、
前記第６面の角に近接して該第６面に配置されたコーナー導体部と、
該第６面に配置されたコーナー導体部に連なり、前記第２面から前記第５面にそれぞれ配置されたサイド導体部とを有し、
該第６面に配置されたコーナー導体部に連なり、該第５面に配置されたサイド導体部は、前記第１面に配置したコーナー導体部に接続されていることを特徴とするループアンテナ装置。
【請求項４】
請求項３に記載のループアンテナ装置であって、
前記第２面に配置されたサイド導体部は、前記第６面、該第２面及び前記第５面が交わる第５コーナーに近接して該第６面に配置された第５コーナー導体部と、該第６面、該第２面及び前記第３面が交わる第６コーナーに近接して該第６面に配置された第６コーナー導体部とを接続し、
前記第３面に配置されたサイド導体部は、前記第６コーナー導体部と、該第６面、該第３面及び前記第４面が交わる第７コーナーに近接して該第６面に配置された第７コーナー導体部とを接続し、
前記第４面に配置されたサイド導体部は、前記第７コーナー導体部と、該第６面、該第４面及び前記第５面が交わる第８コーナーに近接して該第６面に配置された第８コーナー導体部とを接続し、
前記第５面に配置されたサイド導体部は、前記第８コーナー導体部と、前記第５コーナー導体部とを接続していることを特徴とするループアンテナ装置。
【請求項５】
絶縁基板上に螺旋状に巻線された導電体を具備するループアンテナ装置であって、
前記絶縁基板は、略直方体形状をなし、所定の第１面、及び該第１面の４辺にそれぞれ連なる第２面から第５面、並びに、該第２面から該第５面の４辺にそれぞれ連なり、前記第１面に対向する第６面を備える一方、前記導電体は、略平行位置に配置された複数のループを備えており、
該ループは、
前記第１面の辺のうち互いに対向する前記第３面及び前記第５面にそれぞれ交わる辺に近接し、互いに対向する前記第２面及び前記第４面を結んで該第１面に配置されたリンク導体部と、
該リンク導体部に連なり、前記第２面及び前記第４面にそれぞれ配置されたサイド導体部と
を有することを特徴とするループアンテナ装置。
【請求項６】
請求項５に記載のループアンテナ装置であって、
前記ループは、
前記第６面の辺のうち互いに対向する前記第３面及び前記第５面にそれぞれ交わる辺に近接し、互いに対向する前記第２面及び前記第４面を結んで該第６面に配置されたリンク導体部と、
該第６面に配置されたリンク導体部に連なり、前記第２面及び前記第４面にそれぞれ配置されたサイド導体部とを有し、
該第６面に配置されたコーナー導体部に連なり、該第４面に配置されたサイド導体部は、前記第１面に配置したリンク導体部に接続されていることを特徴とするループアンテナ装置。
【発明の詳細な説明】
【技術分野】
【０００１】
本発明は、例えばＨＦ帯域を使用したＲＦＩＤ（Ｒａｄｉｏ  Ｆｒｅｑｕｅｎｃｙ  ＩＤｅｎｔｉｆｉｃａｔｉｏｎ）用の通信機器に用いられるループアンテナ装置に関するものである。
【背景技術】
【０００２】
この種のループアンテナ装置は、例えば交通機関の自動改札機に用いられており、２つのアンテナ間の磁界結合を利用して信号の授受が行われる。
詳しくは、ユーザに所持されたＩＣカードがリーダ／ライタのアンテナで発生した磁界内を通過すると、電気的な共振が生じ、このカードのアンテナには誘導電流が流れてＩＣチップが起動し、また、当該アンテナにはリーダ／ライタから送られた磁束とは逆向きの磁界が発生する。これにより、これらカードとリーダ／ライタとの間で非接触によるデータのやり取りが可能になる。
【０００３】
ここで、ループアンテナ装置には、螺旋状に巻線された導電体を絶縁基板上に配置した構造が知られており（例えば、特許文献１参照）、この巻線数を増やせば、通信品質の向上が達成可能になる。
【０００４】
【特許文献１】特開２００７−３０６２８７号公報
【発明の開示】
【発明が解決しようとする課題】
【０００５】
しかしながら、この巻線数を単に増加させると、基板上にてループの内側に形成された開口面積が小さくなり、アンテナの通信可能距離が短くなるとの問題がある。この開口面積が小さくなると、磁束が打ち消され易くなり、アンテナの利得が低くなるからである。
すなわち、通信品質の向上を達成するためには、ループの巻線数とループ内側の開口面積とのバランスを図る措置が必要になるが、上記従来の技術では、当該措置については格別な配慮がなされていない。
【０００６】
また、上述の如く、ループを基板の表面にだけ配置すると、当該表面を除いた他の方向に対する受信感度が低くなる点にも留意しなければならないが、上記従来の技術では、この点についても課題が残されている。
そこで、本発明の目的は、上記課題を解消し、巻線数を増やしつつも、開口面積が大きくなるループアンテナ装置を提供することである。
【課題を解決するための手段】
【０００７】
上記目的を達成するための第１の発明は、絶縁基板上に螺旋状に巻線された導電体を具備するループアンテナ装置であって、絶縁基板は、略直方体形状をなし、所定の第１面、及び第１面の４辺にそれぞれ連なる第２面から第５面、並びに、第２面から第５面の４辺にそれぞれ連なり、第１面に対向する第６面を備える一方、導電体は、略平行位置に配置された複数のループを備えており、ループは、第１面の角に近接して第１面に配置されたコーナー導体部と、コーナー導体部に連なり、第２面から第５面にそれぞれ配置されたサイド導体部とを有する。
【０００８】
第１の発明によれば、ループアンテナ装置は螺旋状で一続きの導電体を具備し、この導電体は、略平行位置に配置された複数のループを備え、第１面から第６面で構成された絶縁基板上に配置されている。
ここで、仮に、総てのループが所定の第１面にのみ配置された場合には、巻線数の増加に伴って基板の略中央部分の開口面積が小さくなり、アンテナの通信可能距離が短くなってしまう。
【０００９】
しかしながら、本発明のループは多面巻きで構成されている。すなわち、第１面には、その角に近接したコーナー導体部が配置されており、このコーナー導体部は、第１面の４辺にそれぞれ連なる第２面から第５面に配置したサイド導体部に接続されている。
したがって、巻線数が増加しても、これらコーナー導体部及びサイド導体部の組み合わせ構成によって開口面積は、上述した第１面にのみ配置された場合に比して大きくなり、このアンテナの通信可能距離が長く、通信品質が向上する。
しかも、このサイド導体部の構成によってアンテナの側方向に対する受信感度も高くなる。この結果、ループアンテナ装置の性能向上に寄与する。
【００１０】
第２の発明は、第１の発明の構成において、第２面に配置されたサイド導体部は、第１面、第２面及び第５面が交わる第１コーナーに近接して第１面に配置された第１コーナー導体部と、第１面、第２面及び第３面が交わる第２コーナーに近接して第１面に配置された第２コーナー導体部とを接続し、第３面に配置されたサイド導体部は、第２コーナー導体部と、第１面、第３面及び第４面が交わる第３コーナーに近接して第１面に配置された第３コーナー導体部とを接続し、第４面に配置されたサイド導体部は、第３コーナー導体部と、第１面、第４面及び第５面が交わる第４コーナーに近接して第１面に配置された第４コーナー導体部とを接続し、第５面に配置されたサイド導体部は、第４コーナー導体部と、第１コーナー導体部とを接続していることを特徴とする。
【００１１】
第２の発明によれば、第１の発明の作用に加えてさらに、サイド導体部は、その両側に位置するコーナー導体部をそれぞれ接続し、常に第１面に戻る。したがって、第２面から第５面に至るサイド導体部同士を直接に結んだ場合に比して、線路長がより長くなるので、この点もループアンテナ装置の性能向上に寄与する。
【００１２】
第３の発明は、第１や第２の発明の構成において、ループは、第６面の角に近接して第６面に配置されたコーナー導体部と、この第６面に配置されたコーナー導体部に連なり、第２面から第５面にそれぞれ配置されたサイド導体部とを有し、当該第６面に配置されたコーナー導体部に連なり、第５面に配置されたサイド導体部は、第１面に配置したコーナー導体部に接続されていることを特徴とする。
【００１３】
第３の発明によれば、第１や第２の発明の作用に加えてさらに、第６面にも、その角に近接したコーナー導体部が配置されており、このコーナー導体部もまた、第２面から第５面に配置されたサイド導体部に接続される。このように、第１面の他、第６面でも開口面積が大きな値になるので、磁束密度が大きくなり、当該アンテナの通信可能距離は非常に長く、通信品質が大幅に向上する。
また、この第５面に配置されたサイド導体部は、第１面に配置されたコーナー導体部と、第６面に配置されたコーナー導体部とを接続しているので、線路長をさらに長くできる。
【００１４】
第４の発明は、第３の発明の構成において、第２面に配置されたサイド導体部は、第６面、第２面及び第５面が交わる第５コーナーに近接して第６面に配置された第５コーナー導体部と、第６面、第２面及び第３面が交わる第６コーナーに近接して第６面に配置された第６コーナー導体部とを接続し、第３面に配置されたサイド導体部は、第６コーナー導体部と、第６面、第３面及び第４面が交わる第７コーナーに近接して第６面に配置された第７コーナー導体部とを接続し、第４面に配置されたサイド導体部は、第７コーナー導体部と、第６面、第４面及び第５面が交わる第８コーナーに近接して第６面に配置された第８コーナー導体部とを接続し、第５面に配置されたサイド導体部は、第８コーナー導体部と、第５コーナー導体部とを接続していることを特徴とする。
【００１５】
第４の発明によれば、第３の発明の作用に加えてさらに、サイド導体部もまた、その両側に位置するコーナー導体部をそれぞれ接続し、常に第６面に戻っており、第２面から第５面に至るサイド導体部同士を直接に結んだ場合に比して線路長がより一層長くなる。
【００１６】
次に、第５の発明は、絶縁基板上に螺旋状に巻線された導電体を具備するループアンテナ装置であって、絶縁基板は、略直方体形状をなし、所定の第１面、及び第１面の４辺にそれぞれ連なる第２面から第５面、並びに、第２面から第５面の４辺にそれぞれ連なり、第１面に対向する第６面を備える一方、導電体は、略平行位置に配置された複数のループを備えており、ループは、第１面の辺のうち互いに対向する第３面及び第５面にそれぞれ交わる辺に近接し、互いに対向する第２面及び第４面を結んで第１面に配置されたリンク導体部と、リンク導体部に連なり、第２面及び第４面にそれぞれ配置されたサイド導体部とを有する。
【００１７】
第５の発明によれば、ループアンテナ装置は螺旋状で一続きの導電体を具備し、この導電体は、略平行位置に配置された複数のループを備え、第１面から第６面で構成された絶縁基板上に配置されている。
そして、本発明のループも多面巻きで構成されている。すなわち、第１面には、この第１面の４辺のうち互いに対向する第３面及び第５面にそれぞれ交わる辺に近接し、互いに対向する第２面及び第４面を結んだリンク導体部が配置されており、このリンク導体部は、第２面及び第４面にだけ配置されたサイド導体部に接続されている。
【００１８】
したがって、巻線数が増加しても、これらリンク導体部及びサイド導体部の組み合わせ構成によって開口面積は、上述した総てのループが第１面にのみ配置された場合に比して大きくなり、このアンテナの通信可能距離が長く、通信品質が向上する。
しかも、このサイド導体部の構成によってアンテナの側方向に対する受信感度が高くなるし、さらに、これら第２面及び第４面の形成方向に向けて指向性を持たせることができる。この結果、ループアンテナ装置の性能向上に寄与する。
【００１９】
第６の発明は、第５の発明の構成において、ループは、第６面の辺のうち互いに対向する第３面及び第５面にそれぞれ交わる辺に近接し、互いに対向する第２面及び第４面を結んで第６面に配置されたリンク導体部と、この第６面に配置されたリンク導体部に連なり、第２面及び第４面にそれぞれ配置されたサイド導体部とを有し、当該第６面に配置されたコーナー導体部に連なり、第４面に配置されたサイド導体部は、第１面に配置したリンク導体部に接続されていることを特徴とする。
【００２０】
第６の発明によれば、第５の発明の作用に加えてさらに、第６面にもリンク導体部が配置されており、このリンク導体部もまた、第２面及び第４面にのみ配置されたサイド導体部に接続される。このように、第１面の他、第６面でも開口面積が大きな値になることから、磁束密度が大きくなり、当該アンテナの通信可能距離は非常に長く、通信品質が大幅に向上する。
また、この第４面に配置されたサイド導体部は、第１面に配置されたリンク導体部と、第６面に配置されたリンク導体部とを接続しているので、線路長をさらに長くできる。
【発明の効果】
【００２１】
本発明によれば、多面巻きのループを用いることにより、巻線数を増やしつつも、開口面積の大きなループアンテナ装置を提供することができる。
【発明を実施するための最良の形態】
【００２２】
以下、本発明の好適な実施の形態を図面に基づいて説明する。
図１は、第１実施例のループアンテナ装置の外観斜視図であり、当該装置２は、例えばＲＦＩＤ用のリーダ／ライタに使用される。
また、このアンテナ装置２は、略直方体形状の絶縁基板１０の上に螺旋状に巻線された導電体を具備している。
【００２３】
詳しくは、この基板１０は、図１の他、図２にも示されるように、略長方形状の表面（第１面）１１を有し、この表面１１の４辺には略長方形状の側面（第２面）１２、側面（第３面）１３、側面（第４面）１４、及び側面（第５面）１５がそれぞれ連なっている。側面１２と側面１４とは同じ面積を有し、側面１２は側面１４に対向して配置される。また、側面１３と側面１５とは同じ面積を有し、側面１３が側面１５に対向して配置される。
【００２４】
つまり、表面１１、側面１２及び側面１５は第１コーナー２１で交わり、表面１１、側面１２及び側面１３は第２コーナー２２で交わる。また、表面１１、側面１３及び側面１４は第３コーナー２３で交わり、表面１１、側面１４及び側面１５は第４コーナー２４で交わっている。
これら各側面１２，１３，１４，１５は表面１１と同じ面積を有した底面（第６面）１６にも連なり（図３）、この底面１６は表面１１に対向して配置される。なお、この図３を図２の上側に配置すれば、装置２の展開図としても機能する。
【００２５】
これにより、底面１６、側面１２及び側面１５は第５コーナー２５で交わり、底面１６、側面１２及び側面１３は第６コーナー２６で交わり、底面１６、側面１３及び側面１４は第７コーナー２７で交わり、また、底面１６、側面１４及び側面１５は第８コーナー２８で交わる。
そして、上述した表面１１には、例えば２回巻き（２ターン）のループ３０を有した導電体が配置されている。
【００２６】
本実施例のループ３０は、例えば導電性ペーストが基板１０にスクリーン印刷されており、１ターン目と２ターン目とが略平行位置に配置され、螺旋状で一続きに連結している。なお、このループ３０は、後述するように底面１６にも達している。
より具体的には、ループ３０は、第１コーナー２１の近傍に接続ランド４を有し、このランド４は図示しない整合回路に接続されている。
【００２７】
一方、このランド４は第１コーナー導体部（コーナー導体部）３１にも接続される。詳しくは、本実施例のループ３０は、表面１１の４つの角にそれぞれ近接したコーナー導体部３１，３２，３３，３４を有しており（図１）、この第１コーナー導体部３１は、図２に示される如く、表面１１に形成された一の導体３１ｉ及び他の導体３１ｅからなる。
【００２８】
これら導体３１ｉ，３１ｅは略平行位置に配置され、当該導体３１ｅが導体３１ｉよりも第１コーナー２１に近接している。なお、この導体３１ｉが上述したランド４に連結する。
また、第２コーナー導体部３２もまた、表面１１に形成された一の導体３２ｉ及び他の導体３２ｅからなり、この導体３２ｅが導体３２ｉよりも第２コーナー２２に近接しており、これら導体３２ｉ，３２ｅの間隔は上記導体３１ｉ，３１ｅの間隔に略等しく配置される。
【００２９】
さらに、第３コーナー導体部３３や第４コーナー導体部３４もまた、上記と同様に、表面１１に形成された一の導体３３ｉ，３４ｉ及び他の導体３３ｅ，３４ｅからなり、この導体３３ｅ，３４ｅが導体３３ｉ，３４ｉよりも第３コーナー２３や第４コーナー２４にそれぞれ近接している。
ところで、本実施例のループ３０では、これら各コーナー導体部３１，３２，３３，３４が、同じ表面１１ではなく、各側面１２，１３，１４，１５に配置されたサイド導体部４２，４３，４４，４５にそれぞれ接続している。
【００３０】
具体的には、まず、サイド導体部４２は、第１コーナー導体部３１と第２コーナー導体部３２とを接続しており（図１）、側面１２に形成された一の導体４２ｔ及び他の導体４２ｂからなる（図２）。
これら導体４２ｔ，４２ｂは略平行位置に配置され、当該導体４２ｔが導体４２ｂよりも上側に位置し、この導体４２ｔが上述した導体３１ｉの他、導体３２ｉに連結し、導体４２ｂが導体３１ｅの他、導体３２ｅに連結する。
【００３１】
次に、サイド導体部４３は、第２コーナー導体部３２と第３コーナー導体部３３とを接続し、側面１３に形成された一の導体４３ｔ及び他の導体４３ｂからなり、これらも略平行位置に配置され、その間隔も上記導体３１ｉ，３１ｅの間隔に略等しく配置される。そして、導体４３ｔが導体４３ｂよりも上側に位置し、この導体４３ｔが上述した導体３２ｉ，３３ｉに連結し、導体４２ｂは導体３１ｅ，３３ｅに連結する。
【００３２】
続いて、サイド導体部４４は、第３コーナー導体部３３と第４コーナー導体部３４とを接続する。そして、この場合にも一の導体４４ｔ及び他の導体４４ｂからなり、当該導体４４ｔが上述した導体３３ｉ，３４ｉに連結し、この導体４４ｂは導体３３ｅ，３４ｅに連結する。
さらに、サイド導体部４５は、第４コーナー導体部３４と第１コーナー導体部３１とを接続する。
【００３３】
詳しくは、このサイド導体部４５は、側面１５に形成された一の導体４５ｔ及び他の導体４５ｂからなり、これらも略平行位置に配置され、この導体４５ｔが導体４５ｂよりも上側に位置しているが、当該導体４５ｔは上述した導体３４ｉ及び他の導体３１ｅに連結するのに対し、導体４５ｂは裏面１６に向けて延びている。
【００３４】
より詳しくは、図３に示されるように、底面１６にも２ターンのループ３０が配置され、底面１６の４つの角にそれぞれ近接したコーナー導体部３５，３６，３７，３８を有する。
第５コーナー導体部３５は、底面１６に形成された一の導体３５ｉ及び他の導体３５ｅからなり、これらは略平行位置に配置され、当該導体３５ｅが導体３５ｉよりも第５コーナー２５に近接し、導体３５ｅが上述した導体４５ｂに連結する。
【００３５】
また、第６コーナー導体部３６、第７コーナー導体部３７や第８コーナー導体部３８もまた、上記と同様に、底面１６に形成された一の導体３６ｉ，３７ｉ，３８ｉ及び他の導体３６ｅ，３７ｅ，３８ｅからなり、この導体３６ｅ，３７ｅ，３８ｅが第６コーナー２６、第７コーナー２７や第８コーナー２８にそれぞれ近接している。
【００３６】
そして、これら各コーナー導体部３５，３６，３７，３８もまた、各側面１２，１３，１４，１５に配置されたサイド導体部５２，５３，５４，５５にそれぞれ接続している。
詳しくは、サイド導体部５２は、第５コーナー導体部３５と第６コーナー導体部３６とを接続しており、側面１２に形成された一の導体５２ｔ及び他の導体５２ｂからなる。
【００３７】
これら導体５２ｔ，５２ｂも略平行位置に配置され、当該導体５２ｔが導体５２ｂよりも上側に位置しており、この導体５２ｔが上述した導体３５ｅ，３６ｅに連結し、導体５２ｂが導体３５ｉ，３６ｉに連結している。
また、サイド導体部５３は、第６コーナー導体部３６と第７コーナー導体部３７とを接続する。そして、この場合にも一の導体５３ｔ及び他の導体５３ｂからなり、この導体５３ｔが上述した導体３６ｅ，３７ｅに連結し、当該導体５３ｂが導体３６ｉ，３７ｉに連結している。
【００３８】
さらに、サイド導体部５４は、第７コーナー導体部３７と第８コーナー導体部３８とを接続し、一の導体５４ｔが上述した導体３７ｅ，３８ｅに連結し、他の導体５４ｂが導体３７ｉ，３８ｉに連結する。
そして、サイド導体部５５は、第８コーナー導体部３８の導体３８ｅと第５コーナー導体部３５の導体３５ｉとを接続する。
【００３９】
なお、本実施例のループ３０は、第８コーナー２８の近傍にも上記整合回路に接続される接続ランド６を有し、第８コーナー導体部３８の導体３８ｉがランド６に連結している。
また、この基板１０の表面１１の適宜位置には、上述した整合回路の他、図示しないチップ部品や発振器（ＡＣ電源）等の電子部品が実装され、これら電子部品もループ３０に接続される。参照符号８は接地電極（ＧＮＤ）である。
【００４０】
そして、表面１１のランド４からの電流は、一の導体３１ｉから側面１２に向かい、導体４２ｔを経由して導体３２ｉに達する。次いで、側面１３に向かい、導体４３ｔを経て導体３３ｉに達し、さらに、側面１４に向かい、導体４４ｔを経由して導体３４ｉに達する。
続いて、側面１５に向かい、導体４５ｔを経て他の導体３１ｅに達して２ターン目になる。つまり、この導体３１ｅ、導体４２ｂ、導体３２ｅ、導体４３ｂ、導体３３ｅ、導体４４ｂ、導体３４ｅを経て導体４５ｂに達して底面１６に向かう。
【００４１】
詳しくは、底面１６の導体３５ｅから側面１２に向かい、導体５２ｔを経由して導体３６ｅに達する。そして、導体５３ｔ、導体３７ｅ、導体５４ｔ、導体３８ｅ、サイド導体部５５を経て一の導体３５ｉに達して２ターン目になる。
すなわち、当該導体３５ｉ、導体５２ｂ、導体３６ｉ、導体５３ｂ、導体３７ｉ、導体５４ｂを経て導体３８ｉに達し、底面１６のランド６に達することになる。
【００４２】
ところで、上述のループは、特定の側面のみを経由しても良い。
具体的には、図４〜６に示された第２実施例のループアンテナ装置６２もまた、第１実施例と同様に、基板７０は、略長方形状の表面（第１面）７１と、この表面７１の４辺に連なる側面（第２面）７２、側面（第３面）７３、側面（第４面）７４、及び側面（第５面）７５と、表面７１に対向した底面（第６面）７６とからなり、表面７１から底面７６に至るループ９０を備えているが、この第２実施例では、対向した側面７２，７４にはサイド導体部１０２，１０４，１１２，１１４がそれぞれ形成されるのに対し、対向した側面７３，７５には形成されていない。
【００４３】
より詳しくは、本実施例のループ９０は、側面７２，７４を結ぶ方向に向けて延びたリンク導体部９１，９２を表面７１に有している。
まず、このリンク導体部９１は、表面７１と側面７３との交わる辺８２に近接し、一の導体９１ｉ及び他の導体９１ｅからなり、これらは略平行位置に配置され、当該導体９１ｅが導体９１ｉよりも辺８２に近接している。なお、当該導体９１ｉが接続ランド６４に連結する。
【００４４】
また、リンク導体部９２は、表面７１と側面７５との交わる辺８４に近接しており、一の導体９２ｉ及び他の導体９２ｅからなる。これら導体９２ｉ，９２ｅもまた略平行位置に配置され、その間隔も上記導体９１ｉ，９１ｅの間隔に略等しく配置される。そして、当該導体９２ｅが導体９２ｉよりも辺８４に近接している。
【００４５】
ここで、本実施例のループ９０もまた、これら各リンク導体部９１，９２が、同じ表面７１ではなく、各側面７２，７４に配置されたサイド導体部１０２，１０４にそれぞれ接続している。
このサイド導体部１０２は、側面７２に形成された一の導体１０２ｔ及び他の導体１０２ｂからなり、これらは略平行位置に配置され、当該導体１０２ｔが導体１０２ｂよりも上側に位置し、この導体１０２ｔが上述した導体９１ｉ，９２ｉに連結し、導体１０２ｂが導体９１ｅ，９２ｅに連結する。
【００４６】
次に、サイド導体部１０４は、側面７４に形成された一の導体１０４ｔ及び他の導体１０４ｂからなっており、これらも略平行位置に配置され、導体１０４ｔが導体１０４ｂよりも上側に位置しているが、当該導体１０４ｔは上述した導体９１ｅに連結するのに対し、導体１０４ｂは裏面７６に向けて延びている。
【００４７】
より詳しくは、図６に示されるように、底面７６にも２ターンのループ９０が配置され、側面７２，７４を結ぶ方向に向けて延びたリンク導体部９３，９４を有している。なお、この図６を図５の左側に配置すれば、装置６２の展開図としても機能する。
このリンク導体部９３は、底面７６と側面７３との交わる辺８６に近接しており、一の導体９３ｉ及び他の導体９３ｅからなり、当該導体９３ｅが導体９３ｉよりも辺８６に近接する。
【００４８】
また、リンク導体部９４は、底面７６と側面７５との交わる辺８８に近接し、一の導体９４ｉ及び他の導体９４ｅからなる。これらもまた略平行位置に配置され、その間隔も上記導体９１ｉ，９１ｅの間隔に略等しく配置される。そして、当該導体９４ｅが導体９４ｉよりも辺８８に近接している。
【００４９】
これら各リンク導体部９３，９４もまた、各側面７２，７４に配置されたサイド導体部１１２，１１４にそれぞれ接続しており、このサイド導体部１１２は、一の導体１１２ｔ及び他の導体１１２ｂからなり、当該導体１１２ｔが導体１１２ｂよりも上側に位置する。そして、この導体１１２ｔが上述した導体９３ｅ，９４ｅに連結し、導体１１２ｂが導体９３ｉ，９４ｉに連結する。
【００５０】
また、サイド導体部１１４は、側面７４に形成された一の導体１１４ｔ及び他の導体１１４ｂからなる。これら導体１１４ｔ，１１４ｂも略平行位置に配置され、導体１１４ｔが導体１１４ｂよりも上側に位置し、当該導体１１４ｔは上述した導体９３ｅ，９４ｅに連結し、導体１１４ｂは接続ランド６６に達している。
【００５１】
なお、この実施例のループ９０もまた、接続ランド６４，６６が整合回路に接続され、また、この基板７０の表面７１の適宜位置には、当該整合回路の他、図示しないチップ部品や発振器（ＡＣ電源）等の電子部品が実装され、これら電子部品もループ９０に接続される。参照符号６８は接地電極である。
【００５２】
そして、当該実施例においても、表面７１のランド６４からの電流は、一の導体９１ｉから側面７２に向かい、導体１０２ｔを経由して導体９２ｉに達する。次いで、側面７４に向かい、導体１０４ｔを経由して導体９１ｅに達して２ターン目になる。すなわち、当該他の導体９１ｅ、導体１０２ｂ、導体９２ｅを経て導体１０４ｂに達して底面７６に向かう。
【００５３】
次いで、底面７６の導体９３ｅから側面１２に向かい、導体１１２ｔを経由して導体９４ｅに達する。続いて、導体１１４ｔに達して２ターン目になり、導体９３ｉ、導体１１２ｂ、導体９４ｉ、導体１１４ｂを経てランド６６に達することになる。
以上のように、各実施例、まず、第１実施例によれば、このループアンテナ装置２は螺旋状で一続きの導電体を具備し、この導電体は、略平行位置に配置された各２ターンのループ３０を備え、絶縁基板１０上に配置されている。
【００５４】
ここで、仮に、総てのループが表面１１にのみ配置された場合には、巻線数の増加に伴って当該ループの内側に形成された開口面積が小さくなり、磁束が打ち消され易くなる結果、アンテナの通信可能距離が短くなってしまう。
しかしながら、上述したループ３０は多面巻きで構成されている。すなわち、表面１１には、そのコーナー２１〜２４にそれぞれ近接したコーナー導体部３１〜３４が配置されており、コーナー導体部３１〜３４は、表面１１の４辺にそれぞれ連なる４つの側面１１〜１５に配置したサイド導体部４２〜４５に接続されている。
【００５５】
したがって、巻線数が増加して線路長が長くなっても、これらコーナー導体部３１〜３４及びサイド導体部４２〜４５の組み合わせ構成によって開口面積は、上述した表面１１にのみ配置された場合に比して大きくなり、この表面１１の大きさに近い値になってアンテナの利得が高くなる。よって、その通信可能距離が長く、アンテナ効率が高くなる。
【００５６】
しかも、このサイド導体部４２〜４５の構成によってアンテナの側方向に対する受信感度も高くなる。この結果、ループアンテナ装置２の性能向上に寄与する。
なお、本実施例の構成は、開口面積を、総てのループが表面１１にのみ配置された場合と同じ大きさで考えれば、絶縁基板の小型化が可能になるとも云える。
【００５７】
また、このサイド導体部４２〜４５は、その両側に位置するコーナー導体部３１〜３４をそれぞれ接続し、常に表面１１に戻る。したがって、側面１２から側面１５に至るサイド導体部同士を直接に結んだ場合に比して、線路長がより長くなるので、この点もループアンテナ装置２の性能向上に寄与する。
【００５８】
さらに、底面１６にも、そのコーナー２５〜２８に近接したコーナー導体部３５〜３８が配置されており、このコーナー導体部３５〜３８もまた、４つの側面１１〜１５に配置されたサイド導体部５２〜５５に接続される。このように、表面１１の他、底面１６でも開口面積が大きな値になるので、磁束密度が大きくなり、当該アンテナの通信可能距離は非常に長く、アンテナ効率がより一層高くなる。
【００５９】
また、この側面１５に配置されたサイド導体部４５は、表面１１に配置された第４コーナー導体部３４と、底面１６に配置されたコーナー導体部３５とを接続しているので、線路長をさらに長くできる。
さらに、サイド導体部５２〜５５もまた、その両側に位置するコーナー導体部３５〜３８をそれぞれ接続し、常に底面１６に戻っており、側面１２から側面１５に至るサイド導体部同士を直接に結んだ場合に比して線路長がより一層長くなる。
【００６０】
次に、第２実施例もまた、多面巻きで構成され、表面７１には、この表面７１の４辺のうち対向する側面７３及び側面７５にそれぞれ交わる辺８２，８４に近接し、対向する側面７２及び側面７４を結んだリンク導体部９１，９２がそれぞれ配置されており、このリンク導体部９１，９２は、側面７２及び側面７４にだけ配置されたサイド導体部１０２，１０４に接続されている。
【００６１】
したがって、巻線数が増加して線路長が長くなっても、これらリンク導体部９１，９２及びサイド導体部１０２，１０４の組み合わせ構成によって開口面積は、上述した表面７１にのみ配置された場合に比して大きくなり、このアンテナの通信可能距離が長く、アンテナ効率が高くなる。
しかも、このサイド導体部１０２，１０４の構成によってアンテナの側方向に対する受信感度が高くなるし、さらに、これら側面７２及び側面７４の形成方向に向けて指向性を持たせることができる。
【００６２】
より具体的には、例えば、ユーザが通過する自動改札機のように前後方向にＩＣカードの位置がずれ易く、左右方向に位置したＩＣカードと混信し易い場合には、特定の方向に指向性を持たせたループアンテナを用いると、好適になる。つまり、ユーザの通過する前後方向に沿ってサイド導体部１０２，１０４を有した側面７２，７４を配置し、左右方向に沿って側面７３，７５を配置すれば、ＩＣカードの移動方向に関して強い指向性を発揮させることができる。
【００６３】
さらに、底面７６にもリンク導体部９３，９４が配置されており、このリンク導体部９３，９４もまた、側面７２及び側面７４にのみ配置されたサイド導体部１１２，１１４に接続される。このように、表面７１の他、底面７６でも開口面積が大きな値になることから、アンテナ効率がより一層高くなる。
また、この側面７４に配置されたサイド導体部１０４は、表面７１に配置されたリンク導体部９２と、底面７６に配置されたリンク導体部９３とを接続しているので、線路長をさらに長くできる。
【００６４】
本発明は、上記実施例に限定されず、特許請求の範囲を逸脱しない範囲で種々の変更を行うことができる。例えば上記実施例の各構成は、その一部を省略したり、上記とは異なるように任意に組み合わせることができる。
また、上述の第１実施例では、総てのコーナー２１〜３８にコーナー導体部３１〜３８が形成されているが、必ずしもこの例に限定されるものではなく、コーナー導体部を少なくとも１つのコーナーに設け、当該コーナー導体部の周辺以外ではサイド導体部同士が直接に連なっていても良い。
【００６５】
さらに、上記各実施例では、表面側に２回巻き、裏面側にも２回巻きの構成が示されているが、他の巻線数でも良く、さらにまた、本発明のループアンテナ装置はリーダ／ライタのみならず、ＩＣカードにも適用可能である。
そして、これらいずれの場合にも上記と同様に、巻線数を増やしつつも、開口面積が大きなループアンテナ装置になるとの効果を奏する。
【図面の簡単な説明】
【００６６】
【図１】第１実施例のループアンテナ装置を概略的に示した外観斜視図である。
【図２】図１の多面巻きによるアンテナの平面図及び側面図である。
【図３】図１のアンテナの底面図である。
【図４】第２実施例のループアンテナ装置を概略的に示した外観斜視図である。
【図５】図４の多面巻きによるアンテナの平面図及び側面図である。
【図６】図４のアンテナの底面図である。
【符号の説明】
【００６７】
２，６２  ループアンテナ装置
１０，７０  絶縁基板
１１，７１  表面（第１面）
１２，７２  側面（第２面）
１３，７３  側面（第３面）
１４，７４  側面（第４面）
１５，７５  側面（第５面）
１６，７６  底面（第６面）
２１  第１コーナー
２２  第２コーナー
２３  第３コーナー
２４  第４コーナー
２５  第５コーナー
２６  第６コーナー
２７  第７コーナー
２８  第８コーナー
３０，９０  ループ
３１  第１コーナー導体部（コーナー導体部）
３２  第２コーナー導体部（コーナー導体部）
３３  第３コーナー導体部（コーナー導体部）
３４  第４コーナー導体部（コーナー導体部）
３５  第５コーナー導体部（コーナー導体部）
３６  第６コーナー導体部（コーナー導体部）
３７  第７コーナー導体部（コーナー導体部）
３８  第８コーナー導体部（コーナー導体部）
４２，４３，４４，４５，５２，５３，５４，５５  サイド導体部
９１，９２，９３，９４  リンク導体部
１０２，１０４，１１２，１１４  サイド導体部
【図１】
2009290830.tif 000003
【図２】
2009290830.tif 000004
【図３】
2009290830.tif 000005
【図４】
2009290830.tif 000006
【図５】
2009290830.tif 000007
【図６】
2009290830.tif 000008